(57)【要約】【課題】実用性の高い枕を提供する。【解決手段】両側部に位置し、密度３５ｋｇ/ｍ３，硬さ１４７Ｎ，反発弾性４０％以上のウレタンフォームが３〜３０ｍｍに粉砕されたものが充填された１対の高反発弾性部２０，２２と、それらの間に位置し、頸椎を支持するとともに、直径４ｍｍ，長さ８ｍｍのストロー状のポリプロピレン製またはポリエチレン製ビーズが充填された頸椎支持部３０と、１対の高反発弾性部の間に位置し、頭部を支持するとともに、密度３０ｋｇ/ｍ３，セル数２４〜２６個/２５ｍｍのウレタンフォームが３〜４０ｍｍの大きさに粉砕されたものが充填された頭部支持部２８とを備えた枕において、高反発弾性部の高さを、頸椎支持部の高さより高く、頭部支持部の高さを、頸椎支持部の高さより低くする。これにより、頭部の通気性，睡眠時の気道等を好適に確保することで、快適な睡眠を担保し、使用者の寝返りにも好適に対応することが可能となる。【選択図】図１
0003173900.tif 000002
【実用新案登録請求の範囲】
【請求項１】
幅方向での両端部に位置し、密度（ＪＩＳ  Ｋ７２２２）３４〜３８ｋｇ/ｍ３，硬さ（ＪＩＳ  Ｋ６４００−２）１２７〜１６７Ｎ，反発弾性（ＪＩＳ  Ｋ６４００−３）４０％以上のウレタンフォームが３〜３０ｍｍの大きさに粉砕された高反発ウレタンチップが内部に充填された１対の高反発弾性部と、
前記１対の高反発弾性部の間に位置し、使用者の頸椎を支持するとともに、直径３〜６ｍｍ，長さ５〜１０ｍｍの中空円筒形状のポリプロピレン製またはポリエチレン製ビーズが内部に充填された頸椎支持部と、
前記１対の高反発弾性部の間に位置し、使用者の頭部を支持するとともに、密度（ＪＩＳ  Ｋ７２２２）２０〜４０ｋｇ/ｍ３，セル数（ＪＩＳ  Ｋ６４００−１）２２〜２８個/２５ｍｍのウレタンフォームが３〜４０ｍｍの大きさに粉砕された高通気ウレタンチップが内部に充填された頭部支持部と
を備え、
前記１対の高反発弾性部の高さは、前記頸椎支持部の高さより高く、
前記頭部支持部の高さは、前記頸椎支持部の高さより低い枕。
【請求項２】
当該枕が、
さらに、前記頸椎支持部の使用者の頸椎を支持する側の面とは反対側の面に設けられ、合成樹脂繊維綿を芯材とするパッドが挿入および取り外し可能とされたパッド挿入部を備えた請求項１に記載の枕。
【考案の詳細な説明】
【技術分野】
【０００１】
本考案は、内部が複数の部分に区画され、それら複数の区画された部分の各々に詰物が充填された枕に関する。
【背景技術】
【０００２】
睡眠時等に頭部および頸椎を支持するための枕には、頭部および頸椎の適切な支持，快適な睡眠等を担保するべく、内部が複数の部分に区画されており、それら複数の区画された部分の各々に詰物が充填された枕が存在している。具体的には、例えば、下記特許文献１に記載されているように、枕の内部を、頭部を支持する頭部支持部と頸椎を支持する頸椎支持部とに区画し、それら頭部支持部と頸椎支持部とによって、頭部および頸椎を適切に支持可能な枕が存在する。また、例えば、下記特許文献２に記載されているように、枕の内部を、頭部支持部と頸椎支持部とそれら２つの支持部の両側に位置する１対の側頭部対応部とに区画し、１対の側頭部対応部によって、使用者の寝返りに好適に対応可能な枕が存在する。さらに、例えば、下記特許文献３に記載されているように、枕の内部を、頭部支持部と頸椎支持部と１対の側頭部対応部とに区画し、１対の側頭部対応部に頭部支持部に充填されている詰物より硬いものが充填された枕が存在する。
【先行技術文献】
【特許文献】
【０００３】
【特許文献１】実開平５−３４９７６号公報
【特許文献２】実用新案登録第３０４８８７６号公報
【特許文献３】特開２００１−１０４１２７号公報
【考案の概要】
【考案が解決しようとする課題】
【０００４】
上記特許文献１に記載されている枕では、頸椎支持部の高さが頭部支持部の高さより高くされており、その頸椎支持部によって頸椎が支持されることで、喉頭の圧迫を緩和し、気道を良好に確保することが可能となる。しかし、使用者の寝返りに対する考慮がなされておらず、改良の余地を残すものとなっている。また、上記特許文献２に記載されている枕では、使用者の寝返りに対応するべく、頭部支持部および頸椎支持部の両側に１対の側頭部対応部が設けられており、使用者の寝返りに好適に対応することが可能となっている。しかし、上記特許文献２に記載の枕では、頭部支持部，頸椎支持部，側頭部対応部に充填されている詰物は、互いに同じ種類のものとされている。このため、柔らかい詰物を採用した場合には、頭部および頸椎を適切に支持できず、硬い詰物を採用した場合には、快適な睡眠を担保できない虞があり、改良の余地を残すものとなっている。また、上記特許文献３に記載の枕では、頭部支持部に充填されている詰物より硬いものが側頭部対応部に充填されており、寝返り時の頭部を好適に支持することが可能となっている。しかし、寝返り時に側頭部が硬い詰物に触れることにより、快適な睡眠を担保出来ない虞があり、改良の余地を残すものとなっている。
【０００５】
このように内部が複数の部分に区画された枕には、改良の余地が多分に残されており、種々の改良を施すことで枕の実用性を向上させることが可能となる。本考案は、そのような実情に鑑みてなされたものであり、実用性の高い枕を提供することを課題とする。
【課題を解決するための手段】
【０００６】
上記課題を解決するために、本考案の枕は、幅方向での両端部に位置し、密度（ＪＩＳ  Ｋ７２２２）３４〜３８ｋｇ/ｍ３，硬さ（ＪＩＳ  Ｋ６４００−２）１２７〜１６７Ｎ，反発弾性（ＪＩＳ  Ｋ６４００−３）４０％以上であり、ウレタンフォームが３〜３０ｍｍの大きさに粉砕された高反発ウレタンチップが内部に充填された１対の高反発弾性部と、前記１対の高反発弾性部の間に位置し、使用者の頸椎を支持するとともに、直径３〜６ｍｍ，長さ５〜１０ｍｍの中空円筒形状のポリプロピレン製またはポリエチレン製ビーズが内部に充填された頸椎支持部と、前記１対の高反発弾性部の間に位置し、使用者の頭部を支持するとともに、密度（ＪＩＳ  Ｋ７２２２）２０〜４０ｋｇ/ｍ３，セル数（ＪＩＳ  Ｋ６４００−１）２２〜２８個/２５ｍｍのウレタンフォームが３〜４０ｍｍの大きさに粉砕された高通気ウレタンチップが内部に充填された頭部支持部とを備え、前記１対の高反発弾性部の高さは、前記頸椎支持部の高さより高く、前記頭部支持部の高さは、前記頸椎支持部の高さより低い構成とされる。
【考案の効果】
【０００７】
本考案の枕では、頭部支持部の高さは、頸椎支持部の高さより低くされている。これにより、喉頭の圧迫を緩和し、気道を良好に確保することが可能となる。また、高反発弾性部の高さは、頸椎支持部および頭部支持部の高さより高くされている。これにより、使用者の寝返りに好適に対応することが可能となる。また、頸椎支持部には、直径３〜６ｍｍ，長さ５〜１０ｍｍの中空円筒形状のポリプロピレン製またはポリエチレン製のビーズが充填され、頭部支持部には、比較的通気性の高いウレタンフォーム、具体的には、密度（ＪＩＳ  Ｋ７２２２）２０〜４０ｋｇ/ｍ３，セル数（ＪＩＳ  Ｋ６４００−１）２２〜２８個/２５ｍｍのウレタンフォームが粉砕されたものが充填されている。これにより、頭部および頸椎を睡眠時において長時間支持する箇所の通気性を向上させることが可能となる。特に、頭部支持部への詰物として、通気性が高く、熱ごもりし難いウレタンフォームの粉砕物が採用されることで、頭部の冷涼性を確実に担保することが可能となる。また、頸椎支持部への詰物として、中空円筒形状のポリプロピレン製またはポリエチレン製ビーズが採用されており、首の形状にあわせてビーズが移動することで、頸椎全体を確実にホールドすることが可能となる。さらに、枕の内部から容易に取り出すことが可能なポリプロピレン製またはポリエチレン製ビーズを採用することで、頸椎支持部の高さ調整を容易に行うことが可能となる。また、寝返り時に側頭部が触れる高反発弾性部への詰物として、硬度が低く、高反発弾性のウレタンフォーム、具体的には、密度（ＪＩＳ  Ｋ７２２２）３４〜３８ｋｇ/ｍ３，硬さ（ＪＩＳ  Ｋ６４００−２）１２７〜１６７Ｎ，反発弾性（ＪＩＳ  Ｋ６４００−３）４０％以上のウレタンフォームの粉砕物が採用されている。このため、寝返り時に、柔らかく、弾力性に富んだ部材に側頭部が接触し、寝返り時における快適な睡眠を担保することが可能となる。したがって、本考案の枕によれば、上述したような、種々の改良を施すことが可能となり、実用性の高い枕を提供することが可能となる。
【図面の簡単な説明】
【０００８】
【図１】本考案の実施例の枕を概略的に示す斜視図である。
【図２】図１の枕の正面図である。
【図３】図２に示すＡＡ線における断面図である。
【図４】図２に示すＢＢ線における断面図である。
【図５】図２に示すＣＣ線における断面図である。
【図６】実施例の枕を覆うための枕カバーの正面図である。
【図７】本考案の変形例の枕を概略的に示す斜視図である。
【図８】図７の枕のビーズ充填口を概略的に示す斜視図である。
【考案を実施するための形態】
【０００９】
以下、本考案を実施するための形態として、本考案の実施例を、図を参照しつつ詳しく説明する。
【００１０】
図１に、本考案の実施例の枕１０を示す。枕１０は、概して矩形の袋状とされた表布１２を備えており、その表布１２の内部が、４つの部分に区画されている。それら４つの区画された部分の各々には詰物が充填されており、それら詰物が充填された４つの部分において、使用者の頸椎および頭部を支持するとともに、使用者の寝返り時に側頭部を支持することが可能となっている。以下に、枕１０を上方からの視点において示した図２および，その図２の断面図である図３〜５を用いて、枕１０の構造を詳しく説明する。なお、本明細書では、図２における左右方向を幅方向と、図２における上下方向を奥行き方向と、それら幅方向および奥行き方向に垂直な方向を高さ方向と称し、説明を行う。
【００１１】
枕１０は、図２に示すように、表布１２の内部に縫着された３枚の仕切布１４，１６，１８によって、４つの部分に区画されている。具体的には、３枚の仕切布１４，１６，１８のうちの２枚の仕切布（残りの１枚の仕切布と区別するべく、以下、「奥行方向仕切布」という）１４，１６は、奥行き方向に延びるようにして表布１２の内部に縫着されており、表布１２の内部を幅方向において概ね３等分している。それら奥行方向仕切布１４，１６は、図２に示すＡＡ線における断面図である図３および図２に示すＢＢ線における断面図である図４に示すように、上縁において表布１２の上面に縫着され、下縁において表布１２の下面に縫着されている。これにより、２枚の奥行方向仕切布１４，１６と表布１２の幅方向での両端部とによって、１対の側頭部対応部２０，２２が区画されている。
【００１２】
それら１対の側頭部対応部２０，２２の間の部分は、もう１枚の仕切布（２枚の奥行方向仕切布１４，１６と区別するべく、以下、「幅方向仕切布」という）１８によって、２つの部分に区画されている。幅方向仕切布１８は、幅方向に延びるようにして表布１２の内部に縫着されるとともに、両端において２枚の奥行方向仕切布１４，１６に逢着されている。幅方向仕切布１８も、図２に示すＣＣ線における断面図である図５に示すように、上縁において表布１２の上面に逢着され、下縁において表布１２の下面に逢着されている。ちなみに、表布１２の奥行き方向における一方の縁２４は、他方の縁２６に向かって凹んだ形状とされており、それぞれの縁２４，２６を区別するべく、以下、奥行き方向における一方の縁２４を湾曲縁２４と、他方の縁２６を非湾曲縁２６という。その非湾曲縁２６と幅方向仕切布１８と２枚の奥行方向仕切布１４，１６とによって、頭部支持部２８が区画されており、湾曲縁２４と幅方向仕切布１８と２枚の奥行方向仕切布１４，１６とによって、頸椎支持部３０が区画されている。
【００１３】
表布１２の非湾曲縁２６には、開閉可能なファスナー３２が取り付けられており、そのファスナー３２を介して、頭部支持部２８に、通気性の良い多数の高通気ウレタンチップ３４が充填されている。高通気ウレタンチップ３４は、密度３０ｋｇ/ｍ３，セル数２４〜２６個/２５ｍｍのセル膜を除去したウレタンフォームを粉砕したものであり、３〜４０ｍｍの大きさとされている。ちなみに、上記密度は、ＪＩＳ  Ｋ７２２２：２００４に基づく方法に準拠して測定された値であり、上記セル数は、ＪＩＳ  Ｋ６４００−１：２００４  付属書１に基づく方法に準拠して測定された値である。
【００１４】
また、表布１２の湾曲縁２４には、開閉可能なファスナー３６が取り付けられており、そのファスナー３６を介して、頸椎支持部３０に、中空円筒形状の多数のポリプロピレン製またはポリエチレン製ビーズ３８が充填されている。ポリプロピレン製またはポリエチレン製ビーズ３８は、直径４ｍｍ，長さ８ｍｍの大きさとされており、図５に示すように、頸椎支持部３０の高さＨ１が、頭部支持部２８の高さＨ２より高くなるように、ポリプロピレン製またはポリエチレン製ビーズ３８が頸椎支持部３０に充填されている。
【００１５】
また、表布１２の幅方向における両端部には、開閉可能なファスナー４０，４２が取り付けられており、それぞれのファスナー４０，４２を介して、高反発弾性部としての側頭部対応部２０，２２の各々に、反発弾性の高い多数の高反発ウレタンチップ４４が充填されている。高反発ウレタンチップ４４は、密度３５ｋｇ/ｍ３，硬さ１４７Ｎ，反発弾性４０％以上のウレタンフォームを粉砕したものであり、３〜３０ｍｍの大きさとされている。１対の側頭部対応部２０，２２の各々には、図４に示すように、各側頭部対応部２０，２２の高さＨ３が、頸椎支持部３０の高さＨ１より高くなるように、高反発ウレタンチップ４４が充填されている。ちなみに、上記密度は、ＪＩＳ  Ｋ７２２２：２００４に基づく方法に準拠して測定された値であり、上記硬さは、ＪＩＳ  Ｋ６４００−２：２００４  Ｄ法に基づく方法に準拠して測定された値である。さらに、上記反発弾性は、ＪＩＳ  Ｋ６４００−３：２０１１に基づく方法に準拠して測定された値である。
【００１６】
上述した構造によって、枕１０は、高通気ウレタンチップ３４が充填されている頭部支持部２８によって、使用者の頭部を支持するとともに、ポリプロピレン製またはポリエチレン製ビーズ３８が充填されている頸椎支持部３０によって、使用者の頸椎を支持する構造とされている。これにより、頭部および頸椎を睡眠時において長時間支持する箇所の通気性を向上させることが可能となる。特に、頭部支持部２８には、比較的セルの大きな高通気ウレタンチップ３４が充填されており、頭部支持部２８の通気性を高くするとともに、頭部支持部２８に熱ごもりし難くすることが可能となり、頭部の冷涼性を確実に担保することが可能となる。従来より「頭寒足熱」は、快適な睡眠の要因の１つと考えられており、頭部の冷涼性を担保することで、血液の循環を良くするとも考えられている。したがって、この枕１０によれば、快適な睡眠を担保するとともに、血液の循環を良くすることで、健康の増進、さらに言えば、美容面においても好影響を及ぼすことが可能となる。また、頭部載置箇所に高通気ウレタンチップを用いることで、ポリプロピレン製またはポリエチレン製ビーズと比較して弾性を有するため、寝返りを打ちやすくできる。
【００１７】
また、枕１０の頭部支持部２８の高さＨ２は、頸椎支持部３０の高さＨ１より低くされている。これにより、睡眠時の使用者の喉頭の圧迫を緩和し、気道を良好に確保することが可能となる。さらに言えば、頸椎が頸椎支持部３０によって上方に持ち上げられることで、使用者の顎から首にかけての皮膚がある程度ハリの有る状態とされる。逆に、例えば、頭部が上方に持ち上げられと、顎と首とが接近し、使用者の顎から首にかけての皮膚に皺が生じやすくなる。つまり、この枕１０によれば、比較的長い睡眠時間において、使用者の顎から首にかけての皮膚をある程度ハリの有る状態に維持することが可能となり、その部位の皺の予防を図ることが可能となる。特に、頸椎を支持する頸椎支持部３０には、ある程度流動的な動きをするポリプロピレン製またはポリエチレン製ビーズ３８が充填されることで、頸椎の形状に合わせて頸椎全体を確実に支持することが可能となり、効果的に気道の確保，皺の予防等を図ることが可能となる。さらに、ポリプロピレン製またはポリエチレン製ビーズ３８であれば、頸椎支持部３０から容易に取り出すことが可能であるため、頸椎支持部３０の高さを容易に調整可能であり、様々な体形の人に対応可能となっている。
【００１８】
また、枕１０の側頭部対応部２０，２２の高さＨ３は、頸椎支持部３０の高さＨ１より高くされている。つまり、側頭部対応部２０，２２の高さＨ３は、枕１０の他の部分の高さより高くされている。これにより、使用者の寝返り時には、側頭部を側頭部対応部２０，２２によって支持することが可能となり、寝返りに好適に対応することが可能となっている。特に、寝返り時に側頭部が触れる側頭部対応部２０，２２には、硬度が低く、高反発弾性のウレタンチップ４４が充填されている。このため、寝返り時に、柔らかく、弾力性に富んだ部分に側頭部が接触し、寝返り時における快適な睡眠を担保することが可能となっている。
【００１９】
ちなみに、頭部支持部２８の中央部には、１対の偏り防止布５０，５２が、上縁において表布１２の上面に縫着され、下縁において表布１２の下面に縫着されている。これにより、頭部支持部２８内での高通気ウレタンチップ３４の偏りを防止することが可能となっている。また、表布１２の非湾曲縁２６には、１対の環状リボン５４，５６が取り付けられている。これにより、枕１０を物干し竿等に簡単に干すことが可能となっている。
【００２０】
また、枕１０には、汚れ等を防止するべく、図６に示すように、枕カバー６０が用意されている。この枕カバー６０の背面には、その背面の全面にわたって幅方向に延びるファスナー６２が取り付けられており、そのファスナー６２を介して、枕カバー６０が枕１０に脱着可能とされている。枕カバー６０の表面は、幅方向における両端に位置する１対の側部６４，６６とそれら１対の側部６４，６６の間に位置する中央部６８とによって構成されている。１対の側部６４，６６の各々は、肌触りの良い素材によって成形されており、寝返り時における快適な睡眠を担保することが可能となっている。また、中央部６８は、通気性が良く、ある程度厚みのある素材によって成形されており、頭部および頸椎の通気性を担保するとともに、ポリプロピレン製またはポリエチレン製ビーズ３８等の触感を和らげることが可能となっている。
【００２１】
なお、本考案は、上記実施例に限定されるものではなく、当業者の知識に基づいて種々の変更、改良を施した種々の態様で実施することができる。例えば、頸椎支持部３０の使用者の頸椎を支持する側の面とは反対側の面に、パッドを着脱可能なパッド挿入部を設け、パッドの着脱によって頸椎を支持する箇所の高さを調整するように構成することが可能である。このように構成された枕７０を変形例として、図７に示す。この変形例の枕７０は、パッド挿入部７２を除き、上記実施例の枕１０と略同様の構成であるため、パッド挿入部７２を中心に説明し、同様の構成要素については、同じ符号を用いて説明を省略あるいは簡略に行うものとする。なお、図７は、枕７０の使用者が頭部および頸椎を乗せる側の面とは反対側の面、つまり、枕７０の裏側の面を示す斜視図である。
【００２２】
枕７０の頸椎支持部３０の裏側の面には、その裏側の面とともにパッド挿入部７２を区画する区画布７４が縫着されている。詳しく言えば、区画布７４は、頸椎支持部３０とほぼ同形状の矩形状とされており、１対の長辺の一方が、頸椎支持部３０と頭部支持部２８との境目に縫着されるとともに、１対の短辺の各々が、頸椎支持部３０と１対の側部対応部２０，２２の各々との境目に縫着されている。これにより、パッド挿入部７２が、区画布７４の１対の長辺の他方側が開放した状態で、頸椎支持部３０と区画布７４とによって区画されている。
【００２３】
このパッド挿入部７２に、パッド７６を挿入することで、使用者の頸椎を支持する箇所の高さを高くすることが可能となり、一方、パッド挿入部７２からパッド７６を取り外すことで、使用者の頸椎を支持する箇所の高さを低くすることが可能となる。また、パッド挿入部７２には、パッド７６を複数枚重ねて挿入することも可能となっており、使用者の好みに応じて比較的自由に高さ調整をすることが可能となっている。
【００２４】
このパッド７６は、ポリエステル製のダブルラッセル編の布袋に合成樹脂繊維綿（例えば、ポリエステル綿）が内包され、その布袋の外周が縫着されたものであり、パッド７６の寸法は、１５０ｍｍ×１１５ｍｍ×１０ｍｍ（幅方向の長さ×奥行き方向の長さ×高さ）とされている。
【００２５】
また、頸椎支持部３０にポリプロピレン製またはポリエチレン製ビーズ３８を充填、若しくは、頸椎支持部３０からポリプロピレン製またはポリエチレン製ビーズ３８を取り出すためのビーズ充填口８０が、区画布７４によって覆われた頸椎支持部３０に形成されている。つまり、パッド７６が、パッド挿入部７２に挿入された状態では、ビーズ充填口８０は、パッド７６と頸椎支持部３０との間に位置しており、パッド７６をパッド挿入部７２から取り外し、区画布７４をめくり上げることで、ビーズ充填口８０を確認することが可能となっている。
【００２６】
ビーズ充填口８０は、区画布７４によって覆われた頸椎支持部３０に開閉可能に取り付けられた第１ファスナー８２と、筒状の内袋８４と、その筒状の内袋８４の開口する一方の端部に縫着された第２ファスナー８６とから構成されており、筒状の内袋８４の開口する他方の端部は、第１ファスナー８２の縁に沿って開閉可能に縫着されている。
【００２７】
このような構造のビーズ充填口８０では、枕使用時において、内袋８４は頸椎支持部３０の内部に収容されており、第１ファスナー８２および第２ファスナー８６が閉じられている。これにより、頸椎支持部３０内に充填されているポリプロピレン製または、ポリエチレン製ビーズ３８が、２つのファスナー８２，８４によって、枕の外部にこぼれ難くされている。また、第１ファスナー８２は、区画布７４によって覆われた頸椎支持部３０に取り付けられているため、第１ファスナー８２が何かに引っ掛かり、不意に開く可能性は殆どなくなる。
【００２８】
一方、頸椎支持部３０にポリプロピレン製または、ポリエチレン製ビーズ３８を充填、若しくは、頸椎支持部３０からポリプロピレン製または、ポリエチレン製ビーズ３８を取り出す際には、第１ファスナー８２を開けて、内袋８４を頸椎支持部３０内から反転させつつ引っ張り出す。そして、外部に露出された第２ファスナー８６を開け、その開けられた第２ファスナー８６を介して、ポリプロピレン製または、ポリエチレン製ビーズ３８が充填、若しくは、取り出される。ちなみに、図７は、内袋８４が頸椎支持部３０内から引っ張り出された状態の枕７０を示しており、図８に、その状態で第２ファスナー８６が開けられた枕７０の斜視図を示しておく。
【００２９】
また、例えば、上記実施例の枕１０では、頭部支持部２８の奥行き方向の長さＸ１は１５０ｍｍとされ、頸椎支持部３０の奥行き方向の長さＸ２は１００ｍｍとされている。さらに、頭部支持部２８および頸椎支持部３０の幅方向の長さＷ１は１７０ｍｍとされ、１対の側頭部対応部２０，２２の各々の幅方向の長さＷ２は１３０ｍｍとされている。この枕１０より大きな枕、若しくは、小さな枕を提供するべく、各寸法を変更することが可能である。具体的には、例えば、頭部支持部２８の奥行き方向の長さＸ１を２４０ｍｍとし、頸椎支持部３０の奥行き方向の長さＸ２を１１０ｍｍとするとともに、頭部支持部２８および頸椎支持部３０の幅方向の長さＷ１を１８０ｍｍとし、１対の側頭部対応部２０，２２の各々の幅方向の長さＷ２を２００ｍｍとしてもよい。ちなみに、上記枕１０では、頸椎支持部３０の高さＨ１は６０ｍｍとされ、頭部支持部２８の高さＨ２は４０ｍｍとされ、１対の側頭部対応部２０，２２の各々の高さＨ３は７５ｍｍとされており、当然、これらの寸法も変更可能である。ただし、頸椎支持部３０の高さが高くなり過ぎたり、頭部支持部２８の高さと頸椎支持部３０の高さと差が大きくなり過ぎることを避けるべく、枕の高さは大きく変更しないことが望ましい。
【符号の説明】
【００３０】
１０：枕
２０：側頭部対応部（高反発弾性部）
２２：側頭部対応部（高反発弾性部）
２８：頭部支持部
３０：頸椎支持部
３４：高通気ウレタンチップ
３８：ポリプロピレン製またはポリエチレン製ビーズ
４４：高反発ウレタンチップ
７０：枕
７２：パッド挿入部
７６：パッド
【図１】
0003173900.tif 000003
【図２】
0003173900.tif 000004
【図３】
0003173900.tif 000005
【図４】
0003173900.tif 000006
【図５】
0003173900.tif 000007
【図６】
0003173900.tif 000008
【図７】
0003173900.tif 000009
【図８】
0003173900.tif 000010